【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】  ユーザ信号の識別に複数の拡散コードを使用し、異なるビットレートのコードを有する単数或いは複数のコード構造から選択することにより、到来する複数の呼リクエストに前記複数の拡散コードを分配する、電気通信システムにおける情報信号の変調方法であって、
ａ）到来する呼リクエストに分配されるコードの所望のビットレートを認知し、
ｂ）所望のビットレートを持つコードの使用可能性を判断し、
ｃ）所望のビットレートの使用可能なコードが１つある場合に、該所望のビットレートの使用可能な１つのコードを前記到来する呼リクエストに分配し、
ｄ）所望の使用可能なビットレートのうち２以上のコードがある場合、使用可能な高速ビットレートのコードの総数を可能な限り多く保ってコードを優先順位付けし、将来高速ビットレートのコードを解放する可能性が最大となるように、所定の規則に従い、１つのコードを分配することを含む方法。
【請求項２】  伝送容量を超過する場合には、到来したリクエストを別のコード構造に割り当てることをさらに含む請求項１に記載の方法。
【請求項３】  前記到来する呼リクエストにより伝送容量を超過する場合には、到来する呼リクエストをブロックすることをさらに含む請求項１に記載の方法。
【請求項４】  コードの優先順位付けは、
ａ）所望のビットレートの使用可能な空きコードに連結する長さのより短いコードの使用不可度合いを判断し、
ｂ）最も使用不可度合いが高く、長さのより短い連結されたコードを有する空きコードの中から、１セットのコードを選択し、
ｃ）ルートコードに達するまで、長さのより短い連結されたコードに対し前段のステップをくり返し、その結果得られる１セットのコードから１つのコードを最終的に選択することにより行われる請求項１に記載の方法。
【請求項５】  ユーザ信号の識別に複数の拡散コードを使用し、異なるビットレートのコードを有する単数或いは複数のコード構造から選択することにより、到来する呼リクエストに前記複数の拡散コードを分配する、電気通信システムにおける情報信号の変調方法であって、
ａ）到来する呼リクエストに分配されるコードのレートを認知し、
ｂ）所望されるビットレートを持つ単数又は複数のコードの使用可能性を判断し、
ｃ）所望されるビットレートのコードが使用可能でない場合、到来するリクエストを使用可能なコードに割り当て、連結された使用済みの低速ビットレートを再分配することによってコードの再分配を実施し、割り当て済みの使用不可コードを解放することを含む方法。
【請求項６】  好ましい使用不可コードとして、コードの再分配の総数が最少になるようなコードを選択することをさらに含む請求項５に記載の方法。
【請求項７】  好ましい使用不可コードとして、割り当て済みの低速ビットレートコードの数が最少であるコードを選択することをさらに含む請求項５に記載の方法。
【請求項８】  到来したリクエストへのコード分配に使用したものと同じ規則に従う分配或いは再分配の一方により、使用済みコードの再分配を行うことを含む請求項５に記載の方法。
【請求項９】  好ましい使用不可コードとして、使用不可度合いが最も低いコードを選択すること含む請求項５に記載の方法。
【請求項１０】  再分配に好ましい使用不可コードとして、そのサブツリー内に最少の割り当て済みの低速ビットレートのコードを有するものを選択し、そのような使用不可コードが複数ある場合は、そのうち使用不可レベルが最も低いものを選択することをさらに含む請求項５に記載の方法。
【請求項１１】  ユーザ信号の識別に複数の拡散コードを使用し、異なるビットレートのコードを有する単数或いは複数のコード構造から選択することにより、到来する複数の呼リクエストに前記複数の拡散コードを分配する、電気通信システムにおける情報信号の変調システムであって、
ａ）到来する呼リクエストに分配されるコードの所望のビットレートを認知する手段と、
ｂ）所望のビットレートを持つコードの使用可能性を判断する手段と、
ｃ）所望のビットレートの使用可能なコードが１つある場合に、該所望のビットレートの使用可能な１つのコードを前記到来する呼リクエストに分配する手段と、
ｄ）所望の使用可能なビットレートの複数のコードがある場合、使用可能な高速ビットレートコードの総数を可能な限り多く保ってコードを優先順位付けし、将来高速ビットレートコードを解放する可能性が最大となるように、所定の規則に従い、１つのコードを分配する手段と、
を具備するシステム。
【請求項１２】  伝送容量を超過する場合に、到来するリクエストを別のコード構造に割り当てる手段をさらに具備する請求項１１に記載のシステム。
【請求項１３】  前記到来する呼リクエストにより伝送容量を超過する場合に、到来する呼リクエストをブロックする手段をさらに具備する請求項１１に記載の方法。
【請求項１４】  
ａ）所望のビットレートの使用可能な空きコードに連結する長さのより短いコードの使用不可度合いを判断する手段と、
ｂ）最も使用不可度合いが高く、長さのより短い連結されたコードを有する空きコードの中から、１セットのコードを選択する手段と、
を含むコードを優先順位付けする手段をさらに具備し、
前記選択手段は、ルートコードに達するまで、長さのより短い連結されたコードを有する空きコードの中から、１セットのコードを選択し、その結果得られる１セットのコードから１つのコードを最終的に選択する請求項１１に記載のシステム。
【請求項１５】  ユーザ信号の識別に複数の拡散コードを使用し、異なるビットレートのコードを有する単数或いは複数のコード構造から選択することにより、到来する複数の呼リクエストに前記複数の拡散コードを分配する、電気通信システムにおける情報信号の変調システムであって、
ａ）到来する呼リクエストに分配されるコードの所望のビットレートを認知する手段と、
ｂ）所望のビットレートを持つコードの使用可能性を判断する手段と、
ｃ）所望のビットレートのコードが使用できない場合に、到来するリクエストを使用不可コードに割り当てることによって再分配を実施し、使用済みの連結された低ビットレートコードを再分配し、割り当て済みの使用不可コードを解放する手段と、
を具備するシステム。
【請求項１６】  好ましい使用不可コードとして、コードの再分配の総数を最少にするものを選択する手段をさらに具備する１５に記載のシステム。
【請求項１７】  好ましい使用不可コードとして、割り当て済みの低速ビットレートコードの数が最少であるものを選択する手段をさらに具備する請求項１５に記載のシステム。
【請求項１８】  到来したリクエストへのコード分配に使用したものと同じ規則に従う分配或いは再分配の一方により使用済みコードの再分配を実施する手段をさらに具備する請求項１５に記載のシステム。
【請求項１９】  好ましい使用不可コードとして、使用不可度合いが最も低いものを選択する手段をさらに具備する請求項１５に記載のシステム。
【請求項２０】  再分配に好ましい使用不可コードとして、そのサブツリー内で割り当て済みの低速ビットレートのコードの数が最少であるものを選択し、そのような使用不可コードが複数ある場合は、そのうち使用不可レベルが最も低いものを選択する手段をさらに具備する請求項１５に記載のシステム。
【請求項２１】  
ユーザ信号の識別を行う変調に拡散コードを使用する電気通信システムにおいて使用されるコンピュータプログラムであって、該コードは可能な限り多数の高速ビットレートのコードが残されるように異なるレベルの１セットのコード群から分配され、
ａ）到来した呼リクエストに分配されるコードの所望のビットレートを認知し、
ｂ）所望のビットレートを持つ異なるコードの使用可能性を判断し、
ｃ）所望のビットレートの使用可能なコードが１つある場合に、該所望のビットレートの使用可能な１つのコードを前記到来する呼リクエストに分配し、
ｄ）使用可能な所望のビットレートのコードが複数ある場合に、分配されるコードを選択して使用可能な高速ビットレートコードの総数を可能な限り多く保ってコードを優先順位付けし、将来高速ビットレートコードを解放する可能性が最大となるように、所定の規則に従い、１つのコードを分配することを、
実行するように具現化される計算可能で読み取り可能なコードを有するコンピュータで使用可能な媒体を含むコンピュータプログラム。
【請求項２２】  
さらに、伝送容量を超過する場合に、到来したリクエストを別のコード構造に割り当てることを実行するようにコードが具現化される請求項２１に記載のコンピュータプログラム。
【請求項２３】  
さらに、前記到来する呼リクエストにより伝送容量を超過する場合には、到来する呼リクエストをブロックすることを実行するようにコードが具現化される請求項２１に記載のコンピュータプログラム。
【請求項２４】  
さらに、コードの優先順位付けは、
ａ）所望のビットレートの使用可能な空きコードに連結する長さのより短いコードの使用不可度合いを判断し、
ｂ）最も使用不可度合いが高く、長さのより短い連結されたコードを有する空きコードの中から、１セットのコードを選択し、
ｃ）ルートコードに達するまで、長さのより短い連結されたコードに対し前段のステップをくり返し、その結果得られる１セットのコードから１つのコードを最終的に選択することを実行するようにコードが具現化される請求項２１に記載のコンピュータプログラム。
【請求項２５】  ユーザ信号の識別に複数の拡散コードを使用し、異なるビットレートのコードを有する単数或いは複数のコード構造から選択することにより、到来する複数の呼リクエストに前記複数の拡散コードを分配する、電気通信システムにおける情報信号の変調装置であって、
到来する呼リクエストに分配されるコードのレートを通知し、
所望のビットレートを有するコードの使用可能性を判断し、
所望のビットレートの使用可能なコードがない場合に、到来するリクエストを使用不可コードに割り当ることにより再分配し、使用済みの連結された低速ビットレートコードを再分配して割り当てられた使用不可コードを解放することを実施するように構成された電子回路を具備した装置。
【請求項２６】  さらに、好ましい使用不可コードとして、コードの再分配の総数が最少になるものを選択するように電子回路が構成される請求項２５に記載の装置。
【請求項２７】  さらに、好ましい使用不可コードとして、割り当て済みの低速ビットレートコードの数が最少になるものを選択するように電子回路が構成される請求項２５に記載の装置。
【請求項２８】  さらに、好ましい使用不可コードとして、使用不可度合いが最も低いものを選択するように電子回路が構成される請求項２５に記載の装置。
【請求項２９】  さらに、再分配に好ましい使用不可コードとして、コードサブツリー内で割り当て済みの低速ビットレートコードの数が最少になるものを選択し、そのような使用不可コードが複数ある場合は、そのうち使用不可レベルが最も低いものを選択するように、電子回路が構成される請求項２５に記載の装置。
【請求項３０】  ユーザ信号の識別に複数の拡散コードを使用し、異なるビットレートのコードを有する単数或いは複数のコード構造から選択することにより、到来する複数の呼リクエストに前記複数の拡散コードを分配する、電気通信システムにおける情報信号の変調システムであって、
到来する呼リクエストに分配されるコードの所望のビットレートを認知し、
所望のビットレートを持つコードの使用可能性を判断し、
所望のビットレートの使用可能なコードが１つある場合に、該所望のビットレートの１つの使用可能なコードを分配し、
所望のビットレートの使用可能なコードが複数ある場合に、使用可能な高速ビットレートコードの総数を可能な限り多く保ってコードを優先付けし、将来高速ビットレートコードを解放する可能性が最大となるように、所定の規則に従ってコードを分配するように構成された電子回路を具備するシステム。